(57)【要約】【課題】利用者がレジューム再生を行うか否かを容易に判断することが可能な再生装置を提供する。【解決手段】ＤＶＤレコーダ１００は、ＤＶＤ１５０に記憶されたコンテンツを読み取る光ピックアップ１３ｂと、コンテンツの再生を制御する制御部１９と、コンテンツの再生が停止された場合に、レジューム情報を記憶する磁気ディスク１２ａとを備える。制御部１９は、コンテンツを再生する際に、コンテンツの再生を先頭およびレジュームポイントのいずれから開始するかを利用者に選択させる選択画面を表示装置２００に表示させる。選択画面には、レジュームポイントにおける画像と、コンテンツを代表する画像とが表示される。【選択図】図１
2010262712.tif 000002
【特許請求の範囲】
【請求項１】
記憶媒体に記憶されたコンテンツを読み取る読取部と、
前記読取部により読み取られたコンテンツの再生を制御する制御部と、
コンテンツの再生が停止された場合に、コンテンツの再生が停止された位置を再生開始位置として記憶する記憶部と、を備えた再生装置において、
前記制御部は、コンテンツを再生する際に、前記コンテンツの再生開始位置が前記記憶部に記憶されている場合に、前記コンテンツの再生を先頭および前記再生開始位置のいずれから開始するかを利用者に選択させる選択画面を表示部に表示させ、
前記選択画面には、前記コンテンツを代表する画像と、前記再生開始位置における画像とが表示される、ことを特徴とする再生装置。
【請求項２】
請求項１に記載の再生装置において、
前記選択画面には、前記再生開始位置における時間情報が表示される、ことを特徴とする再生装置。
【請求項３】
請求項１または請求項２に記載の再生装置において、
前記選択画面には、前記コンテンツのタイトルが表示される、ことを特徴とする再生装置。
【請求項４】
請求項１ないし請求項３のいずれかに記載の再生装置において、
前記コンテンツを代表する画像と、前記再生開始位置における画像とは、前記記憶部に記憶されている、ことを特徴とする再生装置。
【発明の詳細な説明】
【技術分野】
【０００１】
本発明は、コンテンツのレジューム再生機能を備えた再生装置に関する。
【背景技術】
【０００２】
従来、コンテンツのレジューム再生機能を備えた再生装置が種々知られている（たとえば、特許文献１〜５参照）。なお、レジューム再生とは、コンテンツが前回停止された位置から、コンテンツの再生を開始することをいう。
【０００３】
上記特許文献１には、動画データ（コンテンツ）を識別するためのサムネイル画像を一覧表示する映像信号再生装置が開示されている。この映像信号再生装置では、コンテンツ毎に一枚のサムネイル画像が表示されており、コンテンツがカーソルにより選択されていない場合に、サムネイル画像としてコンテンツを代表する画像が表示され、コンテンツがカーソルにより選択されている場合に、サムネイル画像としてレジューム位置の画像が表示される。
【０００４】
また、上記特許文献２には、複数の利用者がそれぞれ各自のレジューム再生を行うことが可能な情報再生装置が開示されている。
【０００５】
また、上記特許文献３には、現在挿入されているＤＶＤのレジューム情報に加えて、現在挿入されているＤＶＤとは異なるＤＶＤ（以前に挿入されたことがあるＤＶＤ）のレジューム情報を表示する光ディスク再生装置が開示されている。
【０００６】
また、上記特許文献４には、再生種別（動画、静止画、およびプレイリスト）毎にレジュームポイントが保持されることにより、再生種別毎にレジューム再生を行うことが可能なデジタルビデオカメラが開示されている。
【０００７】
また、上記特許文献５には、利用者が特定キーを操作することにより、利用者がレジューム情報を記録するか否かを選択することが可能なディスク記録再生装置が開示されている。
【先行技術文献】
【特許文献】
【０００８】
【特許文献１】特開２００７−１６４８６６号公報
【特許文献２】特開２００５−１２９０９３号公報
【特許文献３】特開２００７−１７２６７０号公報
【特許文献４】特許第３９２５８１２号公報
【特許文献５】特開２００５−３３２５１５号公報
【発明の概要】
【発明が解決しようとする課題】
【０００９】
本発明の課題とするところは、利用者がレジューム再生を行うか否かを容易に判断することが可能な再生装置を提供することである。
【課題を解決するための手段】
【００１０】
本発明の再生装置は、記憶媒体に記憶されたコンテンツを読み取る読取部と、読取部により読み取られたコンテンツの再生を制御する制御部と、コンテンツの再生が停止された場合に、コンテンツの再生が停止された位置を再生開始位置として記憶する記憶部と、を備えた再生装置であって、制御部は、コンテンツを再生する際に、コンテンツの再生開始位置が記憶部に記憶されている場合に、コンテンツの再生を先頭および再生開始位置のいずれから開始するかを利用者に選択させる選択画面を表示部に表示させ、選択画面には、コンテンツを代表する画像と、再生開始位置における画像とが表示される。
【００１１】
このように構成することによって、選択画面が表示されることにより、利用者がレジューム再生を行うか否かを選択することができる。また、選択画面には、コンテンツを代表する画像と、再生開始位置における画像とが表示されることにより、これらの画像に基づいて、利用者がレジューム再生の対象および開始位置を同時に把握することができるので、利用者がレジューム再生を行うか否かを容易に判断することができる。
【００１２】
上記再生装置において、選択画面には、再生開始位置における時間情報が表示されるようにしてもよい。このように構成すれば、時間情報により、利用者がレジューム再生の開始位置を正確に把握することができる。
【００１３】
上記再生装置において、選択画面には、コンテンツのタイトルが表示されるようにしてもよい。このように構成すれば、利用者がレジューム再生の対象を容易に把握することができる。
【００１４】
上記再生装置において、コンテンツを代表する画像と、再生開始位置における画像とは、記憶部に記憶されるようにしてもよい。
【発明の効果】
【００１５】
本発明によれば、利用者がレジューム再生を行うか否かを容易に判断することが可能な再生装置を提供することができる。
【図面の簡単な説明】
【００１６】
【図１】本発明の一実施形態によるＤＶＤレコーダの全体構成を示したブロック図である。
【図２】表示装置に選択画面が表示された状態を示した図である。
【図３】図１のＤＶＤレコーダのコンテンツの再生時の動作を説明するためのフローチャートである。
【発明を実施するための形態】
【００１７】
以下、本発明の実施形態について、図面を参照しながら説明する。なお、以下の実施形態では、再生装置の一例であるＤＶＤレコーダに本発明を適用した場合について説明する。
【００１８】
まず、図１および図２を参照して、本発明の一実施形態によるＤＶＤレコーダ１００の構成について説明する。
【００１９】
本実施形態によるＤＶＤレコーダ１００は、図１に示すように、表示装置２００が接続されるレコーダ本体１と、レコーダ本体１を遠隔操作するリモコン２とを備えている。
【００２０】
レコーダ本体１は、チューナ１１と、ＨＤＤ部１２と、ＤＶＤ部１３と、処理部１４と、ＯＳＤ（On-Screen Display）部１５と、合成部１６と、出力部１７と、受信部１８と、制御部１９とを含んでおり、これらはバス１ａを介して接続されている。
【００２１】
チューナ１１には、アンテナ（図示省略）が接続されており、チューナ１１は、地上デジタル放送などのテレビジョン放送（コンテンツ）を受信するとともに、受信したコンテンツを処理部１４に出力する。
【００２２】
ＨＤＤ部１２は、チューナ１１が受信したコンテンツなどを記憶するとともに、記憶したコンテンツを処理部１４に出力する。このＨＤＤ部１２は、磁気ディスク（プラッタ）１２ａやヘッド部１２ｂなどを含んでいる。磁気ディスク１２ａは、コンテンツや後述するレジューム情報などを記憶する。ヘッド部１２ｂは、磁気ディスク１２ａに対してコンテンツなどの書き込みを行うとともに、磁気ディスク１２ａに書き込まれたコンテンツなどの読み取りを行う。なお、磁気ディスク１２ａは、本発明の「記憶媒体」および「記憶部」の一例であり、ヘッド部１２ｂは、本発明の「読取部」の一例である。
【００２３】
ＤＶＤ部１３は、チューナ１１が受信したコンテンツなどをＤＶＤ１５０に記録するとともに、ＤＶＤ１５０に記憶されたコンテンツを読み取って処理部１４に出力する。このＤＶＤ部１３は、ＤＶＤ１５０が載置されるディスクトレイ１３ａや光ピックアップ１３ｂなどを含んでいる。光ピックアップ１３ｂは、ＤＶＤ１５０に対してコンテンツなどの書き込みを行うとともに、ＤＶＤ１５０に書き込まれたコンテンツなどの読み取りを行う。なお、ＤＶＤ１５０は、本発明の「記憶媒体」の一例であり、光ピックアップ１３ｂは、本発明の「読取部」の一例である。
【００２４】
処理部１４は、デコーダなどを含み、チューナ１１、ＨＤＤ部１２、および、ＤＶＤ部１３から入力されたコンテンツの信号に対して所定の処理を施す。そして、処理部１４は、所定の処理が施された信号を合成部１６に出力する。ＯＳＤ部１５は、ＯＳＤ信号を生成するとともに、生成したＯＳＤ信号を合成部１６に出力する。合成部１６は、処理部１４から入力された信号に、ＯＳＤ部１５から入力されたＯＳＤ信号を重畳して出力部１７に出力する。
【００２５】
出力部１７は、たとえば、ＨＤＭＩ（High-Definition Multimedia Interface）端子であり、合成部１６から入力された信号を表示装置２００に出力する。表示装置２００は、たとえば、液晶テレビジョン受像機であり、レコーダ本体１から出力された信号に基づいて映像などを表示する。なお、表示装置２００は、本発明の「表示部」の一例である。
【００２６】
受信部１８は、フォトダイオードなどを含み、リモコン２から出力されるリモコン信号を受信する。制御部１９は、ＣＰＵ１９ａ、ＲＯＭ１９ｂ、および、ＲＡＭ１９ｃなどを含んでいる。ＣＰＵ１９ａは、レコーダ本体１の動作を制御する。ＲＯＭ１９ｂは、書き換え可能な不揮発性のメモリであり、たとえば、フラッシュメモリである。ＲＯＭ１９ｂは、レコーダ本体１の動作を制御するためのプログラムや、各種設定項目の設定値などを記憶する。ＲＡＭ１９ｃは、たとえば、ＤＲＡＭであり、プログラムが実行される際のデータなどを一時的に記憶する。
【００２７】
制御部１９は、磁気ディスク１２ａに記憶されたコンテンツ、および、ＤＶＤ１５０に記憶されたコンテンツの再生を制御する。制御部１９は、磁気ディスク１２ａのコンテンツおよびＤＶＤ１５０のコンテンツの再生が停止された場合に、再生が停止されたコンテンツのレジューム情報を作成する。そして、作成されたレジューム情報は、ヘッド部１２ｂにより磁気ディスク１２ａに記録される。したがって、レジューム情報は、レコーダ本体１の電源（図示省略）がオフ状態になった場合にも保持される。なお、レジューム情報は、再生が停止されたコンテンツ毎に１つずつ作成される。
【００２８】
ここで、本実施形態によるレジューム情報とは、再生が停止されたコンテンツのタイトルと、レジュームポイントと、そのコンテンツを代表する画像と、レジュームポイントにおける画像と、そのコンテンツの長さ（時間長）とを含んでいる。なお、レジュームポイントとは、コンテンツの再生が停止された位置であり、レジューム再生時の再生開始位置である。このレジュームポイントは、たとえば、コンテンツの再生が停止された際の経過時間情報である。
【００２９】
コンテンツを代表する画像とは、たとえば、磁気ディスク１２ａのコンテンツであれば、コンテンツの先頭の画像であり、ＤＶＤ１５０のコンテンツであれば、ＤＶＤ１５０が挿入された際に表示されるメニュー画面の画像である。
【００３０】
そして、制御部１９は、コンテンツを再生する際に、そのコンテンツのレジューム情報が磁気ディスク１２ａに記憶されている場合に、ＯＳＤ部１５により、そのコンテンツの再生開始位置を利用者に選択させるための選択画面Ｗをレジューム情報に基づいて表示装置２００に表示させる。選択画面Ｗには、図２に示すように、コンテンツのタイトルＴ１（図２では、「○○○○」）と、コンテンツを代表する画像Ｐ１と、レジュームポイントにおける画像Ｐ２と、コンテンツの経過時間Ｔ２とが表示される。この経過時間Ｔ２では、コンテンツの長さ（時間長）に対する経過時間（視聴済の時間）が数字で表示されるとともに、目盛りで表示される。図２の例では、コンテンツの長さが２時間であり、経過時間が１時間である。
【００３１】
また、選択画面Ｗには、再生開始位置を選択するための選択項目Ｔ３およびＴ４が表示される。選択項目Ｔ３（図２では、「先頭から再生」）は、コンテンツの再生を先頭から開始するための項目であり、選択項目Ｔ４（図２では、「レジューム再生」）は、コンテンツの再生をレジュームポイントから開始するための項目である。そして、選択画面Ｗでは、利用者は、リモコン２を用いてカーソルＣを操作することにより、選択項目Ｔ３およびＴ４のいずれかを選択することによって、コンテンツの再生を先頭から行うか、レジューム再生を行うかを選択することが可能である。
【００３２】
リモコン２は、利用者からの操作指令を受け付ける操作ボタンや、操作指令に応じてリモコン信号を発信する発信部などを含んでいる。
【００３３】
次に、図１〜図３を参照して、本実施形態によるＤＶＤレコーダ１００のコンテンツの再生時の動作について説明する。なお、このフローチャートの各ステップは、制御部１９（図１参照）により実行される。
【００３４】
まず、ＤＶＤレコーダ１００（図１参照）では、図３のステップＳ１において、コンテンツの再生指令を受け付けたか否かが判断される。コンテンツの再生指令を受け付けていない場合には、ステップＳ１が繰り返し行われる。すなわち、ＤＶＤレコーダ１００は、コンテンツの再生指令を受け付けるまで待機する。そして、コンテンツの再生指令を受け付けたと判断された場合には、ステップＳ２に移る。なお、コンテンツの再生指令を受け付けた場合には、ＤＶＤ１５０（図１参照）のコンテンツの再生指令を受け付けた場合と、磁気ディスク１２ａ（図１参照）のコンテンツの再生指令を受け付けた場合とを含む。
【００３５】
具体的には、ＤＶＤ１５０のコンテンツの再生指令を受け付けた場合とは、ＤＶＤ１５０がレコーダ本体１（図１参照）に挿入された場合や、ＤＶＤ１５０がレコーダ本体１に挿入された状態で、リモコン２（図１参照）から出力されるＤＶＤ１５０の再生指令信号を受信部１８（図１参照）により受信した場合である。また、磁気ディスク１２ａのコンテンツの再生指令を受け付けた場合とは、たとえば、磁気ディスク１２ａに記憶されたコンテンツの一覧が表示装置２００（図１参照）に表示された状態で、リモコン２から出力される所定のコンテンツが選択された旨のリモコン信号を受信部１８により受信した場合である。
【００３６】
次に、ステップＳ２において、再生指令を受け付けたコンテンツのレジューム情報があるか否かが判断される。具体的には、再生指令を受け付けたコンテンツのレジューム情報が磁気ディスク１２ａに記憶されているか否かが判断される。そして、再生指令を受け付けたコンテンツのレジューム情報があると判断された場合には、ステップＳ３に移る。その一方、再生指令を受け付けたコンテンツのレジューム情報がないと判断された場合には、ステップＳ７において、コンテンツの再生が先頭から開始され、ステップＳ８に移る。
【００３７】
次に、ステップＳ３において、ＯＳＤ部１５（図１参照）により、レジューム情報に基づいて、コンテンツの再生開始位置を利用者に選択させるための選択画面Ｗ（図２参照）が表示装置２００に表示される。この選択画面Ｗでは、利用者がリモコン２を用いてカーソルＣを操作することにより、選択項目Ｔ３（先頭から再生）およびＴ４（レジューム再生）のいずれかを選択することが可能である。
【００３８】
次に、ステップＳ４において、「先頭から再生」が選択されたか否かが判断される。具体的には、カーソルＣが「先頭から再生」を選択している状態で、リモコン２から出力される選択項目を決定する旨のリモコン信号を受信部１８により受信したか否かが判断される。そして、「先頭から再生」が選択されていないと判断された場合には、ステップＳ５に移る。その一方、「先頭から再生」が選択されたと判断された場合には、ステップＳ７において、コンテンツの再生が先頭から開始され、ステップＳ８に移る。
【００３９】
次に、ステップＳ５において、「レジューム再生」が選択されたか否かが判断される。具体的には、カーソルＣが「レジューム再生」を選択している状態で、リモコン２から出力される選択項目を決定する旨のリモコン信号を受信部１８により受信したか否かが判断される。そして、「レジューム再生」が選択されたと判断された場合には、ステップＳ６において、コンテンツの再生がレジュームポイントから開始され、ステップＳ８に移る。すなわち、図２の例では、経過時間Ｔ２が１時間の地点からコンテンツの再生が再開され、この再生は、レジュームポイントにおける画像Ｐ２から再開される。その一方、「レジューム再生」が選択されていないと判断された場合には、ステップＳ４に戻る。
【００４０】
次に、ステップＳ８において、コンテンツの再生が停止されたか否かが判断される。具体的には、リモコン２から出力されるコンテンツの停止指令信号を受信部１８により受信したか否かが判断される。そして、再生が停止されたと判断された場合には、ステップＳ９に移る。その一方、再生が停止されていないと判断された場合には、ステップＳ１０に移る。
【００４１】
次に、ステップＳ９において、レジューム情報の作成がされるとともに、ヘッド部１２ｂ（図１参照）により作成されたレジューム情報が磁気ディスク１２ａに記録され、コンテンツの再生時の動作が終了する。なお、再生が停止されたコンテンツのレジューム情報が既に存在している場合には、レジューム情報のうち、レジュームポイント、および、レジュームポイントにおける画像Ｐ２のみが更新される。
【００４２】
また、ステップＳ８において、コンテンツの再生が停止されていない場合には、ステップＳ１０において、コンテンツが最後まで再生されることにより、コンテンツの再生が終了したか否かが判断される。そして、再生が終了していないと判断された場合には、ステップＳ８に戻る。その一方、再生が終了したと判断された場合には、ステップＳ１１に移る。
【００４３】
次に、ステップＳ１１において、再生が終了したコンテンツのレジューム情報があるか否かが判断される。そして、再生が終了したコンテンツのレジューム情報があると判断された場合には、ステップＳ１２において、再生が終了したコンテンツのレジューム情報が磁気ディスク１２ａから削除され、コンテンツの再生時の動作が終了する。その一方、再生が終了したコンテンツのレジューム情報がないと判断された場合には、そのまま、コンテンツの再生時の動作が終了する。
【００４４】
本実施形態では、上記のように、選択画面Ｗが表示されることによって、利用者がレジューム再生を行うか否かを選択することができる。また、選択画面Ｗには、コンテンツを代表する画像Ｐ１と、レジュームポイントにおける画像Ｐ２とが表示されることによって、画像Ｐ１およびＰ２に基づいて、利用者がレジューム再生の対象および開始位置を同時に把握することができるので、利用者がレジューム再生を行うか否かを容易に判断することができる。
【００４５】
また、本実施形態では、選択画面Ｗには、経過時間Ｔ２が表示されることによって、利用者がレジューム再生の開始位置を正確に把握することができる。
【００４６】
また、本実施形態では、選択画面Ｗには、コンテンツのタイトルＴ１が表示されることによって、利用者がレジューム再生の対象を容易に把握することができる。
【００４７】
また、本実施形態では、レジューム情報として、コンテンツを代表する画像と、コンテンツの長さ（時間長）とが磁気ディスク１２ａに記憶されることによって、コンテンツの再生指令を受け付けた後に、コンテンツを代表する画像と、コンテンツの長さとを取得する場合に比べて、選択画面Ｗを表示する際の処理を簡略化することができる。
【００４８】
また、本実施形態では、ＤＶＤ１５０のコンテンツの場合に、コンテンツを代表する画像として、ＤＶＤ１５０が挿入された際に表示されるメニュー画面の画像を用いることによって、メニュー画面にはコンテンツのジャケット画像などが用いられる場合が多いので、利用者がレジューム再生の対象をより容易に把握することができる。
【００４９】
本発明は、上述した以外にも種々の実施形態を採用することができる。たとえば、上記実施形態では、再生装置の一例であるＤＶＤレコーダ１００に本発明を適用する例を示したが、これに限らず、ＤＶＤ部が設けられていないハードディスクレコーダなどのその他の再生装置に本発明を適用してもよい。
【００５０】
また、上記実施形態では、レジューム情報が磁気ディスク１２ａに記憶される例を示したが、これに限らず、レジューム情報が制御部１９のＲＯＭ１９ｂに記憶されるようにしてもよい。すなわち、本発明の記憶部の一例として磁気ディスク１２ａを示したが、これに限らず、本発明の記憶部としてＲＯＭ１９ｂを用いてもよい。
【００５１】
また、上記実施形態では、コンテンツの再生が停止された後に、レジューム情報が作成される例を示したが、これに限らず、コンテンツの再生が停止される前に、レジューム情報のうち、コンテンツのタイトル、コンテンツを代表する画像、および、コンテンツの長さ（時間長）を取得するようにしてもよい。
【００５２】
また、上記実施形態では、コンテンツを代表する画像と、コンテンツの長さ（時間長）とが磁気ディスク１２ａに記憶される例を示したが、これに限らず、コンテンツを代表する画像と、コンテンツの長さとが磁気ディスク１２ａに記憶されておらず、コンテンツの再生指令を受け付けた後に、そのコンテンツからコンテンツを代表する画像と、コンテンツの長さとが取得されるようにしてもよい。このように構成すれば、磁気ディスク１２ａに記憶されるレジューム情報の情報量を少なくすることができる。
【００５３】
また、上記実施形態において、選択画面Ｗに、レジューム情報を削除するための項目が設けられていてもよい。このように構成すれば、レジューム情報が不要になった場合に、容易にレジューム情報を削除することができる。
【００５４】
また、上記実施形態では、レジューム情報がレジュームポイントを１つだけ有する例を示したが、これに限らず、レジューム情報がレジュームポイントを複数有するようにしてもよい。
【００５５】
また、上記実施形態では、磁気ディスク１２ａのコンテンツの場合に、コンテンツを代表する画像として、コンテンツの先頭の画像を用いる例を示したが、これに限らず、コンテンツを代表する画像として、コンテンツの先頭の画像以外のその他の画像を用いてもよい。
【００５６】
また、上記実施形態では、レジュームポイントがコンテンツの再生が停止された際の経過時間情報である例を示したが、これに限らず、レジュームポイントがコンテンツの再生が停止された際のコンテンツ内のアドレス情報であってもよい。
【符号の説明】
【００５７】
１２ａ    磁気ディスク（記憶媒体、記憶部）
１２ｂ    ヘッド部（読取部）
１３ｂ    光ピックアップ（読取部）
１９      制御部
１００    ＤＶＤレコーダ（再生装置）
１５０    ＤＶＤ（記憶媒体）
２００    表示装置（表示部）
【図１】
2010262712.tif 000003
【図２】
2010262712.tif 000004
【図３】
2010262712.tif 000005